(57)【要約】【課題】  画像認識処理により内蔵時計の時刻の設定を行う際に、午前／午後の判定を容易かつ確実に行うことができる撮影装置及び時刻補正プログラムを提供する。【解決手段】  まず、カメラ１０に現在時刻情報を含む時刻認識用画像が入力されると（ステップＳ１０）、現在時刻の認識が行われる。次に、この時刻認識用画像に現在時刻の午前／午後を示す情報が含まれていない場合、記録メディア１８から午前／午後判定用画像が選択され（ステップＳ１６）、この午前／午後判定用画像の撮影時設定情報及び撮影されてから現在までの経過時間が読み取られる（ステップＳ１８）。この午前／午後判定用画像から輝度及び色温度情報が抽出可能である場合、この輝度及び色温度情報に基づいて、午前／午後判定用画像が午前／午後のいずれに撮影されたものであるか判定され、午前／午後判定用画像が撮影されてからの経過時間から現在時刻の午前／午後が判定される（ステップＳ２４）。そして、内蔵時計２８に現在時刻とその午前／午後情報が書き込まれる（ステップＳ１４）。【選択図】      図２
2006038690.tif 000002
【特許請求の範囲】
【請求項１】
画像を撮影する撮影手段と、
時間を計時する計時手段と、
前記撮影された画像を前記計時手段により計時された撮影時刻とともに記録する画像記録手段と、
現在時刻情報を含む時刻認識用画像が撮影された場合に、画像認識処理により前記時刻認識用画像の現在時刻情報を抽出する時刻情報抽出手段と、
前記抽出された現在時刻情報に基づいて、前記計時手段の示す時刻を補正する時刻補正手段とを備える撮影装置において、
前記現在時刻情報が午前／午後の情報を含んでいない場合に、前記画像記録手段に記録された画像の中から午前／午後判定用画像を選択して画像解析することにより、前記午前／午後判定用画像の撮影時刻の午前／午後を判定し、前記計時手段により計時された、前記午前／午後判定用画像が撮影されてから現在までの経過時間、及び前記現在時刻情報に基づいて現在時刻の午前／午後の判定を行う午前／午後判定手段を備え、
前記時刻補正手段は、前記現在時刻の午前／午後情報に基づいて前記計時手段の示す時刻を補正することを特徴とする撮影装置。
【請求項２】
前記午前／午後判定用画像は、前記画像記録手段に記録された画像のうち撮影時刻が最新のものであり、
前記午前／午後判定手段は、前記午前／午後判定用画像の画像解析により午前／午後の判定ができなかった場合に、前記画像記録手段に記録された画像の中から撮影時刻の新しい順に午前／午後判定用画像を選択して、午前／午後の判定を行うことを特徴とする請求項１記載の撮影装置。
【請求項３】
前記午前／午後判定手段は、前記午前／午後判定用画像に含まれるオートホワイトバランス、又はシャッタスピード及び絞り値の情報に基づいて午前／午後の判定を行うことを特徴とする請求項１又は２記載の撮影装置。
【請求項４】
前記画像記録手段に記録された画像の認識処理を行って、日付情報を含む画像を選択し、前記日付情報を抽出する日付情報抽出手段を更に備え、
前記時刻補正手段は、前記抽出された日付情報に基づいて前記計時手段の示す年月日を制御することを特徴とする請求項１から３のいずれか１項記載の撮影装置。
【請求項５】
時間を計時する計時機能と、
前記撮影された画像を前記計時機能により計時された撮影時刻とともに記録する画像記録機能と、
現在時刻情報を含む時刻認識用画像が撮影された場合に、画像認識処理により前記時刻認識用画像の現在時刻情報を抽出する時刻情報抽出機能と、
前記現在時刻情報が午前／午後の情報を含んでいない場合に、前記記録された画像の中から午前／午後判定用画像を選択して画像解析することにより、前記午前／午後判定用画像の撮影時刻の午前／午後を判定し、前記計時機能により計時された、前記午前／午後判定用画像が撮影されてから現在までの経過時間、及び前記現在時刻情報に基づいて現在時刻の午前／午後の判定を行う午前／午後判定機能と、
前記現在時刻及びその午前／午後情報に基づいて前記計時機能の示す時刻を補正する時刻補正機能と、
をコンピュータに実現させることを特徴とする時刻補正プログラム。
【発明の詳細な説明】
【技術分野】
【０００１】
本発明は撮影装置及び時刻補正プログラムに係り、特に時計機能を有する撮影装置及び時計機能を有する装置に用いる時刻補正プログラムに関する。
【背景技術】
【０００２】
近年、時計機能を有し、撮影された画像に、撮影時刻や日時を付加して記録する撮影装置が実用化されている。このような撮影装置においては、あらかじめ時刻を設定しておく必要がある。従来、このような撮影装置において時刻を設定する作業を簡略化する技術が開発されている。例えば、特許文献１には、画像情報を入力する画像入力手段と、画像入力手段に入力された画像情報により画像の特徴抽出を行い、特徴抽出情報に基づいてパターンマッチング処理を行う画像認識手段と、時間を計り時刻を示す時計手段と、時計手段の時刻を合わせる時刻設定手段とを備え、画像入力手段により入力された時刻の表示を含む画像情報について、画像認識手段によるパターンマッチング処理で時刻を認識し、時刻設定手段により時計手段の時刻を合わせるカメラについて開示されている。
【０００３】
また、特許文献２には、被写体画像に含まれる時刻情報を認識する認識手段と、この認識手段により認識された時刻情報に基づき、時刻情報を補正する撮像装置について開示されている。
【特許文献１】特開２０００−７５３９４号公報
【特許文献２】特開２００１−１９７３４２号公報
【発明の開示】
【発明が解決しようとする課題】
【０００４】
しかしながら、上記の特許文献１に開示されたカメラは、時刻合わせモードで時計等の画像を撮影してパターンマッチングにより時刻を認識し、カメラの内蔵時計を認識された時刻に合わせるものであるが、撮影された時計等が午前／午後の表示機能のないものである場合には、午前／午後の識別を行うことができないという問題があった。
【０００５】
また、特許文献２には、表示部に表示された画像における背景の明暗を検出することにより自動的に午前／午後を識別させる構成について記載されているが、時計の背景の明暗だけでは、午前／午後を正確に識別することは困難である。例えば、明け方（午前６時頃）と夕方（午後６時頃）では、背景の明暗がほぼ同じであるため、背景の明暗だけでは午前／午後の識別は困難である。
【０００６】
本発明はこのような事情に鑑みてなされたもので、画像認識処理により内蔵時計の時刻の設定を行う際に、午前／午後の判定を容易かつ確実に行うことができる撮影装置及び時刻補正プログラムを提供することを目的とする。
【課題を解決するための手段】
【０００７】
上記目的を達成するために請求項１に係る撮影装置は、画像を撮影する撮影手段と、時間を計時する計時手段と、前記撮影された画像を前記計時手段により計時された撮影時刻とともに記録する画像記録手段と、現在時刻情報を含む時刻認識用画像が撮影された場合に、画像認識処理により前記時刻認識用画像の現在時刻情報を抽出する時刻情報抽出手段と、前記抽出された現在時刻情報に基づいて、前記計時手段の示す時刻を補正する時刻補正手段とを備える撮影装置において、前記現在時刻情報が午前／午後の情報を含んでいない場合に、前記画像記録手段に記録された画像の中から午前／午後判定用画像を選択して画像解析することにより、前記午前／午後判定用画像の撮影時刻の午前／午後を判定し、前記計時手段により計時された、前記午前／午後判定用画像が撮影されてから現在までの経過時間、及び前記現在時刻情報に基づいて現在時刻の午前／午後の判定を行う午前／午後判定手段を備え、前記時刻補正手段は、前記現在時刻の午前／午後情報に基づいて前記計時手段の示す時刻を補正することを特徴とする。
【０００８】
請求項１に係る撮影装置によれば、時計等を撮影した画像の認識処理を行うことにより内蔵時計の現在時刻を設定するとともに、記録された画像の解析から午前／午後の設定を容易に行うことができる。
【０００９】
請求項２に示すように請求項１に係る撮影装置において、前記午前／午後判定用画像は、前記画像記録手段に記録された画像のうち撮影時刻が最新のものであり、前記午前／午後判定手段は、前記午前／午後判定用画像の画像解析により午前／午後の判定ができなかった場合に、前記画像記録手段に記録された画像の中から撮影時刻の新しい順に午前／午後判定用画像を選択して、午前／午後の判定を行うことを特徴とする。
【００１０】
請求項２に係る撮影装置によれば、午前／午後の判定に適した画像を選択して認識処理を行うことにより午前／午後の判定を確実に行うことができる。
【００１１】
請求項３に示すように請求項１又は２に係る撮影装置において、前記午前／午後判定手段は、前記午前／午後判定用画像に含まれるオートホワイトバランス、又はシャッタスピード及び絞り値の情報に基づいて午前／午後の判定を行うことを特徴とする。
【００１２】
また、請求項４に示すように請求項１から３に係る撮影装置において、前記画像記録手段に記録された画像の認識処理を行って、日付情報を含む画像を選択し、前記日付情報を抽出する日付情報抽出手段を更に備え、前記時刻補正手段は、前記抽出された日付情報に基づいて前記計時手段の示す年月日を制御することを特徴とする。
【００１３】
請求項４に係る撮影装置によれば、上記した効果に加え、内蔵時計の年月日の設定を容易に行うことができる。
【００１４】
請求項５に係る時刻補正プログラムは、時間を計時する計時機能と、前記撮影された画像を前記計時機能により計時された撮影時刻とともに記録する画像記録機能と、現在時刻情報を含む時刻認識用画像が撮影された場合に、画像認識処理により前記時刻認識用画像の現在時刻情報を抽出する時刻情報抽出機能と、前記現在時刻情報が午前／午後の情報を含んでいない場合に、前記記録された画像の中から午前／午後判定用画像を選択して画像解析することにより、前記午前／午後判定用画像の撮影時刻の午前／午後を判定し、前記計時機能により計時された、前記午前／午後判定用画像が撮影されてから現在までの経過時間、及び前記現在時刻情報に基づいて現在時刻の午前／午後の判定を行う午前／午後判定機能と、前記現在時刻及びその午前／午後情報に基づいて前記計時機能の示す時刻を補正する時刻補正機能とをコンピュータに実現させることを特徴とする。
【発明の効果】
【００１５】
本発明によれば、時計等を撮影した画像を解析することにより、内蔵時計の午前／午後情報を含む時刻や年月日の設定を容易に行うことができる。
【発明を実施するための最良の形態】
【００１６】
以下、添付図面に従って本発明に係る撮影装置の好ましい実施の形態について説明する。図１は、本発明の一実施形態に係る撮影装置を示すブロック図である。
【００１７】
図１に示す撮影装置（カメラ）１０は、レンズや絞り等の光学系やＣＣＤ等の撮像素子を含む撮像装置１２と、操作入力装置１４と、表示装置１６と、記録メディア１８の接続を行うＩ／Ｆ２０と、ＣＰＵ２２と、ＲＯＭ２４と、ＲＡＭ２６と、時刻を計る内蔵時計２８とを備えている。
【００１８】
操作入力装置１４は、操作者が操作指示の入力を行うための装置であり、レリーズボタンや各種の操作ボタン等を含んでいる。
【００１９】
表示装置１６は、撮像装置１２により取得された画像や操作指示等の表示を行う装置である。表示装置１６としては、例えば、液晶ディスプレイ（ＬＣＤ）や有機ＥＬ等を用いることができる。
【００２０】
記録メディア１８は、撮像装置１２により取得された画像が記録される装置であり、例えば、ｘＤピクチャカードやコンパクトフラッシュ（ＣＦ）カード（登録商標）等である。本実施形態においては、撮像装置１２により取得された画像のタグ情報等には、撮影時のオートホワイトバランス、シャッタスピード、絞り値、及び撮影時刻が記録される。
【００２１】
ＣＰＵ２２は、操作入力装置１４等からの入力に応じてカメラ１０の各装置の動作を制御する制御装置である。
【００２２】
ＲＯＭ（Read Only Memory）２４は、ＣＰＵ２２が処理するプログラム及び制御に必要な各種データ等が格納される記憶領域を含む装置である。
【００２３】
ＲＡＭ（Random Access Memory）２６は、撮像装置１２により取得された画像が格納される一時記憶領域及びＣＰＵ２２が各種の演算処理等を行う作業用領域等を含む装置である。
【００２４】
次に、本実施形態のカメラ１０の示す時刻を設定する方法について図２を参照して説明する。図２は、カメラ１０の時刻設定方法を示すフローチャートである。
【００２５】
まず、カメラ１０が時刻設定モードに設定され、現在時刻情報を含む時刻認識用画像（例えば、時計を撮影した画像等）が入力されると（ステップＳ１０）、この時刻認識用画像の輪郭抽出処理及びパターンマッチング処理が行われて現在時刻の認識が行われるとともに、この時刻認識用画像に現在時刻の午前／午後を示す情報が含まれているかどうか判断される（ステップＳ１２）。
【００２６】
図３は、時刻認識用画像の例を示す図である。図３（ａ）〜図３（ｃ）はデジタル時計の画像を含む画像であり、図３（ｄ）はアナログ時計の画像を含む画像である。
【００２７】
ステップＳ１２において、時刻認識用画像に午前／午後情報が含まれている場合（図３（ａ）に示すようにＡＭ／ＰＭ等の表示が含まれている場合や、図３（ｂ）に示すように２４時間表示の場合等）、カメラ１０の内蔵時計２８に現在時刻及びその午前／午後情報が書き込まれる（ステップＳ１４）。
【００２８】
一方、ステップＳ１２において、図３（ｃ）及び図３（ｄ）に示す例のように、時刻認識用画像に午前／午後情報が含まれていない場合、記録メディア１８に記録されている画像の中から最新の撮影時刻の画像（午前／午後判定用画像）が選択される（ステップＳ１６）。そして、午前／午後判定用画像の撮影時設定情報（オートホワイトバランス（ＡＷＢ）、シャッタスピード及び絞り値）及び撮影されてから現在までの経過時間が読み取られる（ステップＳ１８）。
【００２９】
そして、ステップＳ１６で選択された午前／午後判定用画像から輝度及び色温度情報が抽出可能かどうか判断される（ステップＳ２０）。ステップＳ２０において、輝度及び色温度情報が抽出不可能である場合、記録メディア１８からステップＳ１６で選択された画像の次に新しい画像が午前／午後判定用画像として選択され（ステップＳ２２）、ステップＳ１８に戻る。
【００３０】
一方、ステップＳ２０において、輝度及び色温度情報が抽出可能である場合、この輝度及び色温度情報に基づいて、午前／午後判定用画像が午前／午後のいずれに撮影されたものであるか判定されて、午前／午後判定用画像が撮影されてからの経過時間から現在時刻の午前／午後が判定される（ステップＳ２４）。そして、現在時刻及びその午前／午後情報が内蔵時計２８に書き込まれる（ステップＳ１４）。これにより、内蔵時計２８の時刻及び午前／午後情報の設定を容易に行うことができる。
【００３１】
なお、上記の実施形態においては、時刻の制御方法と同様の方法で年月日の設定を行えるようにしてもよい。図４は、年月日の設定方法を模式的に示す図である。図に示すように、年月日情報を記入された被写体３０（紙など）をカメラ１０で撮影することにより、カメラ１０の内蔵時計２８の年月日の設定を行う。
【００３２】
図５は、年月日の設定方法を示すフローチャートである。まず、被写体３０（紙など）に年月日情報が記入される（ステップＳ３０）。次に、カメラ１０が年月日設定モードに設定され、被写体３０の画像が入力される（ステップＳ３２）。
【００３３】
次に、ステップＳ３４において入力された画像の輪郭抽出処理を行い（ステップＳ３４）、パターンマッチング処理を行う（ステップＳ３６）。そして、画像の年月日情報を認識することができた場合には（ステップＳ３８）、認識された年月日情報に内蔵時計２８を修正する（ステップＳ４０）。一方、画像の年月日情報を認識することができなかった場合には（ステップＳ３８）、ステップＳ３６に戻って再度パターンマッチング処理を行う。なお、所定の回数パターンマッチング処理を行っても認識できなかった場合には、エラーの表示を行って終了する。これにより、内蔵時計２８の年月日の設定を容易に行うことができる。
【図面の簡単な説明】
【００３４】
【図１】本発明の一実施形態に係る撮影装置を示すブロック図
【図２】カメラ１０の時刻設定方法を示すフローチャート
【図３】時刻認識用画像の例を示す図
【図４】年月日の設定方法を模式的に示す図
【図５】年月日の設定方法を示すフローチャート
【符号の説明】
【００３５】
１０…撮影装置（カメラ）、１２…撮像装置、１４…操作入力装置、１６…表示装置、１８…記録メディア、２０…Ｉ／Ｆ、２２…ＣＰＵ、２４…ＲＯＭ、２６…ＲＡＭ、２８…内蔵時計
【図１】
2006038690.tif 000003
【図２】
2006038690.tif 000004
【図３】
2006038690.tif 000005
【図４】
2006038690.tif 000006
【図５】
2006038690.tif 000007